(57)【要約】      （修正有）【課題】印刷物作成用のＤＴＰデータをＰＤＦデータに変換する再に、データを構成するページ毎、画像、図形、テキスト情報等を構成する構成要素データに付加情報を容易に付加することができる付加情報付加方法及び付加情報付加装置、並びに付加情報付加プログラムを提供するものである。【解決手段】印刷物を構成する画像、図形、テキスト等の構成要素データからなるＤＴＰデータを、ページ記述言語データに変換して、次いで、ＰＤＦデータに変換する際に構成要素データに関連する付加情報を付加するための方法において、ＤＴＰデータを構成する構成要素データの構造情報データを抽出する抽出ステップ１と、構造情報データに付加する付加情報を設定する設定ステップ３と、ページ記述言語データをＰＤＦデータに変換する工程に付加情報を出力する出力ステップと、を備えたことを特徴とする付加情報付加方法である。【選択図】図２
2004289357.tif 000002
【特許請求の範囲】
【請求項１】
雑誌、カタログなどの印刷物を構成する画像、図形、テキスト等の構成要素データからなるＤＴＰデータを、ページ記述言語データに変換して、次いで、ＰＤＦデータに変換する際に前記構成要素データに関連する付加情報を付加するための方法において、ＤＴＰデータをページ記述言語データに変換したデータに付加情報を付加し、ページ記述言語データからＰＤＦデータに変換する工程にデータを出力する方法であって、ＤＴＰデータを構成する構成要素データの構造情報データを抽出する抽出ステップと、前記構造情報データに付加する付加情報を設定する設定ステップと、ページ記述言語データをＰＤＦデータに変換する工程に前記付加情報を出力する出力ステップと、を備えたことを特徴とする付加情報付加方法。
【請求項２】
前記抽出ステップは、構造情報データに付加情報を付加するかしないかを判断する判断ステップと、前記構造情報データに加工を行うかの確認を行う確認ステップを備え、
前記構造情報データに加工を行う加工ステップと、
を備えたことを特徴とする請求項１記載の付加情報付加方法。
【請求項３】
雑誌、カタログなどの印刷物を構成する画像、図形、テキスト等の構成要素データからなるＤＴＰデータを、ページ記述言語データに変換して、次いで、ＰＤＦデータに変換する際に前記構成要素データに関連する付加情報を付加するための装置において、ＤＴＰデータをページ記述言語データに変換したデータに付加情報を付加し、ページ記述言語データからＰＤＦデータに変換する工程にデータを出力する装置であって、ＤＴＰデータを構成する構成要素データの構造情報データを抽出する抽出手段と、前記構造情報データに付加する付加情報を設定する設定手段と、ページ記述言語データをＰＤＦデータに変換する工程に前記付加情報を出力する出力手段と、を備えたことを特徴とする付加情報付加装置。
【請求項４】
前記抽出手段は、構造情報データに付加情報を付加するかしないかを判断する判断手段と、前記構造情報データに加工を行うかの確認を行う確認手段を備え、前記構造情報データに加工を行う加工手段と、を備えたことを特徴とする請求項３記載の付加情報付加装置。
【請求項５】
雑誌、カタログなどの印刷物を構成する画像、図形、テキスト等の構成要素データからなるＤＴＰデータを、ページ記述言語データに変換して、次いで、ＰＤＦデータに変換する際に前記構成要素データに関連する付加情報を付加するためのプログラムにおいて、ＤＴＰデータをページ記述言語データに変換したデータに付加情報を付加し、ページ記述言語データからＰＤＦデータに変換する工程にデータを出力するプログラムであって、ＤＴＰデータを構成する構成要素データの構造情報データを抽出する抽出ステップと、前記構造情報データに付加する付加情報を設定する設定ステップと、ページ記述言語データをＰＤＦデータに変換する工程に前記付加情報を出力する出力ステップと、をコンピュータに行わせることを特徴とする付加情報付加プログラム。
【請求項６】
前記抽出ステップは、構造情報データに付加情報を付加するかしないかを判断する判断ステップと、前記構造情報データに加工を行うかの確認を行う確認ステップを備え、前記構造情報データに加工を行う加工ステップと、をコンピュータに行わせることを特徴とする請求項５記載の付加情報付加プログラム。
【発明の詳細な説明】
【０００１】
【発明の属する技術分野】
本発明は、ＤＴＰデータのように印刷用データを構成する画像、図形、テキスト等の構成要素毎に付加する付加情報を設定する付加情報付加方法、付加情報付加プログラムに関するものである。
【０００２】
【従来の技術】
近年、ＰＤＦ（Ｐｏｒｔａｂｌｅ  Ｄｏｃｕｍｅｎｔ  Ｆｏｒｍａｔ）等の特定のプラットフォームに依存せずに表示できる文書を実現するためのドキュメントフォーマットが開発され、使用されている。
例えば、ＰＤＦデータは、ＰＤＦデータを作成するＰＤＦ作成専用ソフトウエアにより作成し、閲覧することができる。また、ＰＤＦデータは、ＰＤＦ閲覧専用ソフトウエアにより閲覧することもできる。
【０００３】
本明細書におけるＰＤＦデータは、異なるデータ形式のデータから容易に変換でき、データのやり取りをすることができるデータの形式とする。
例えば、雑誌、カタログなどの印刷物を作成するための版下を作成するたＤＴＰ（Ｄｅｓｋ  Ｔｏｐ  Ｐｕｂｌｉｓｈｉｎｇ）により作成されたＤＴＰデータをＰＤＦデータに変換するすることができる。この変換方法は、まず、前記ＰＤＦ作成専用ソフトウエアにより、ＤＴＰデータを使用する出力機の解像度に依存しない記述が可能であるページ記述言語に変換し  次いで、ＰＤＦデータの形式に変換をするものであった。
【０００４】
また、ＰＤＦデータが、近年広範囲で使用される理由として、ＰＤＦデータを構成する画像、図形、テキスト等の構成要素の他に、ページ毎、構成要素毎等に付加情報を付加することができるためである。例えば、構成要素である画像に関連する情報にリンクするための情報を付加情報として付加した場合、その構成要素である画像の画像をクリックするのみでリンク情報が読み出されるので、前記画像にリンクされた情報のファイル名やファイルでの位置を意識せずに読み出すことができる。そして、上記閲覧可能ソフトウエアを用いることでリンク情報を開くことができる。
通常、ページ毎、構成要素毎に付加情報を付加する作業は、オペレータの手作業により行われている。
【０００５】
【特許文献１】
特開２０００−２５６２１９号
【０００６】
【発明が解決しようとする課題】
ところで、カタログなどページの枚数、構成要素の数が多い印刷物の場合、オペーレタの手作業により付加情報が付加されるので、作業が煩雑になり時間がかかった。さらに、付加するための付加情報を間違えることもあり、信頼性が低下する場合もあり、確認作業に時間がかかり、そのためコストが上がることがあった。
【０００７】
本発明は、印刷物作成用のＤＴＰデータをＰＤＦデータに変換する際に、前記データを構成するページ毎、画像、図形、テキスト情報等を構成する構成要素データに付加情報を容易に付加することができる付加情報付加方法及び付加情報付加装置、並びに付加情報付加プログラムを提供するものである。
【０００８】
【課題を解決するための手段】
上述した課題を解決するために本発明の請求項１は、雑誌、カタログなどの印刷物を構成する画像、図形、テキスト等の構成要素データからなるＤＴＰデータを、ページ記述言語データに変換して、次いで、ＰＤＦデータに変換する際に前記構成要素データに関連する付加情報を付加するための方法において、  ＤＴＰデータをページ記述言語データに変換したデータに付加情報を付加し、ページ記述言語データからＰＤＦデータに変換する工程にデータを出力する方法であって、  ＤＴＰデータを構成する構成要素データの構造情報データを抽出する抽出ステップと、前記構造情報データに付加する付加情報を設定する設定ステップと、ページ記述言語データをＰＤＦデータに変換する工程に前記付加情報を出力する出力ステップと、を備えたことを特徴とする付加情報付加方法である。
【０００９】
また、本発明の請求項２は、前記抽出ステップは、構造情報データに付加情報を付加するかしないかを判断する判断ステップと、前記構造情報データに加工を行うかの確認を行う確認ステップを備え、前記構造情報データに加工を行う加工ステップと、を備えたことを特徴とする請求項１記載の付加情報付加方法である。
【００１０】
また、本発明の請求項３に記載されたものは、雑誌、カタログなどの印刷物を構成する画像、図形、テキスト等の構成要素データからなるＤＴＰデータを、ページ記述言語データに変換して、次いで、ＰＤＦデータに変換する際に前記構成要素データに関連する付加情報を付加するための装置において、ＤＴＰデータをページ記述言語データに変換したデータに付加情報を付加し、ページ記述言語データからＰＤＦデータに変換する工程にデータを出力する装置であって、ＤＴＰデータを構成する構成要素データの構造情報データを抽出する抽出手段と、前記構造情報データに付加する付加情報を設定する設定手段と、ページ記述言語データをＰＤＦデータに変換する工程に前記付加情報を出力する出力手段と、を備えたことを特徴とする付加情報付加装置である。
【００１１】
また、本発明の請求項４に記載されたものは、前記抽出手段は、構造情報データに付加情報を付加するかしないかを判断する判断手段と、前記構造情報データに加工を行うかの確認を行う確認手段を備え、前記構造情報データに加工を行う加工手段と、を備えたことを特徴とする請求項３記載の付加情報付加装置である。
【００１２】
また、本発明の請求項５に記載されたものは、雑誌、カタログなどの印刷物を構成する画像、図形、テキスト等の構成要素データからなるＤＴＰデータを、ページ記述言語データに変換して、次いで、ＰＤＦデータに変換する際に前記構成要素データに関連する付加情報を付加するためのプログラムにおいて、ＤＴＰデータをページ記述言語データに変換したデータに付加情報を付加し、ページ記述言語データからＰＤＦデータに変換する工程にデータを出力するプログラムであって、ＤＴＰデータを構成する構成要素データの構造情報データを抽出する抽出ステップと、前記構造情報データに付加する付加情報を設定する設定ステップと、ページ記述言語データをＰＤＦデータに変換する工程に前記付加情報を出力する出力ステップと、をコンピュータに行わせることを特徴とする付加情報付加プログラムである。
【００１３】
また、本発明の請求項６に記載されたものは、前記抽出ステップは、構造情報データに付加情報を付加するかしないかを判断する判断ステップと、前記構造情報データに加工を行うかの確認を行う確認ステップを備え、前記構造情報データに加工を行う加工ステップと、をコンピュータに行わせることを特徴とする請求項５記載の付加情報付加プログラムである。
【００１４】
図１は、本発明の付加情報付与装置Ａのブロック図である、図２は本発明の処理の流れを示すフローチャートである。
１は、抽出手段であり、ＤＴＰデータを構成する構成要素データの構造情報データを抽出するものである。２は、判断手段であり、ＤＴＰを構成する構成要素データに付加情報を付加するか、しないかを判断するものである。３は、確認手段であり、前記判断手段２で付加情報を付加しないと判断された構成要素データに追加情報を追加するか、しないかの確認を行うものである。なお、付加情報も付加されず、追加情報も追加されない構造情報データは出力手段６に送られるものとする。４は、設定手段であり、前記抽出手段１で付加情報を付加するＤＴＰデータの構造情報データに付加する付加情報を設定するものである。５は、追加手段であり、前記確認手段で追加情報を追加すると判断された構成要素データに追加する追加情報を作成して情報を出力するものである。６、出力手段であり、前記設定手段５で設定された付加情報、及び前記追加手段で作成された追加情報をページ記述言語データがＰＤＦデータに変換する、ＰＤＦ変換装置７に出力するものである。
【００１５】
７は、ＰＤＦ変換装置であり、出力手段６から出力された構造情報データ、付加情報、追加情報に対応するページ記述言語データをページ記述記述言語データデータベース１１から抽出し、対応させてＰＤＦデータを作成するものである。８は、ＤＴＰデータベースであり、ＤＴＰにより作成されたカタログ、雑誌等の印刷物のデータベースである。９は、変換装置であり、ＤＴＰデータをページ記述言語データベースに変換するものである。１０は、付加情報データベースであり、付加情報を記憶したものである。１１は、ページ記憶言語データデータベースであり、ＤＴＰデータを変換装置９によりページ記述言語データに変換したデータを記録したものである。１２は、入力装置であり、キーボード、マウス等からなるものである。１３は、出力装置であり、ディスプレイ、モニタ等からなるものである。
本実施例では、付加情報付加装置Ａと他の装置、データベースが異なる装置として説明をしているが、上記装置、データベースが同一の装置に設定されていてもよいものである。また、付加情報装置Ａと他の装置、データベースは社内ＬＡＮ、ＷＡＮ、インターネット、ネットワークにより接続されていればよいものとする。
【００１６】
本発明において、構成要素データとは、印刷物を構成する全てのデータを含むのである。印刷物がカタログの場合、、カタログの１ページを構成している画像、図形、イラスト、テキスト、模様、等を含むものである。
また、構造情報データとは、テキストの内容や位置、画像、イラスト、図形等の位置やトリミング情報等を含むものであり、構成要素に関連する情報を含むのものである。次いで、付加情報を付加したい構造情報データを抽出して、付加情報を付加する。なお、構造情報データ全体から付加情報を付加する構造情報データを確認して直接付加情報を付加することもできるが、効率が悪い場合があるため、まず、付加情報を付加する構造情報データを抽出して、次いで、抽出した構造情報データに付加情報を付加する処理を行なう。
【００１７】
また、本発明において構造情報データに付加する付加情報とは、注釈、しおり、リンク情報、ノート、アーティクル、表示モード設定、書類情報設定、トランザクション、ネームドディスティネーション、ページトリミング、表示初期設定等の設定情報も含むのである。
本実施の形態においては、リンク情報を付加情報として説明する。リンク情報とは、構成要素に関連する情報を含むものであり、例えば、家具カタログの印刷物の場合に、構成要素が椅子であれば、この椅子に関連してカタログ自体に表示されない情報等を含むものである。
【００１８】
次いで、本発明のフローチャート図２を用いて、本発明の処理の流れを説明する。
ステップ１
印刷物データであるＤＴＰデータを分析して、構造情報データを抽出する。この抽出された構造情報データは図３に示すようにファイル形式となっている。
この分析によりＤＴＰデータからは上述されたものが構造情報データとして抽出される。この抽出の仕方は、構成要素のフィルタ、種類、トリミング情報が含まれているので、これらの情報を構造情報データとして抽出する。
【００１９】
ステップ２
抽出した構造情報データにリンク情報等の付加情報を付加するか、付加しないかを判断し、構造情報データ付加情報を付加する場合はステップ３に移行し、構造情報データに付加情報を付加しない場合はステップ４に移行する。
この判断の仕方は、オペレータがディスプレイ等の出力装置１３を用いて、キーボード等の入力装置１２から判断又は判断基準を入力し判断したり、構成要素データ、構造情報データの内容に則して判断するように設定して規定を決めて、その規定に沿って設定するこもできる。
【００２０】
ステップ３
付加情報を付加する構造情報データに付加する付加情報を付加情報データベース１０から抽出し、構造情報データに関連づけるように設定する。
この設定の仕方の他に、オペレータがディスプレイ等の出力装置１３を用いて、キーボード等の入力装置１２から判断又は判断基準を入力して構造情報データに付加情報を付加させることができる。
【００２１】
ステップ４
付加情報を付加しない構造情報データを加工するか、しないかの確認を行い、加工を行う場合はステップ５に移行し、加工を行わない場合はステップ６に移行する。この確認は、オペレータがディスプレイ等の出力装置１３を用いて、キーボード等の入力装置１２から確認したり、または、確認判断基準により確認することができる。
【００２２】
ステップ５
加工を行う構造情報データに加工指示を行う。この加工支持の仕方は、オペレータがディスプレイ等の出力装置１３を用いて、キーボード、マウス等の入力装置１２から加工指示が行われるものである。
【００２３】
ステップ６
構造情報データに付加する付加情報、構造情報データを加工する加工指示、及び構造情報データを集約し、ページ記述データをＰＤＦデータに変換するＰＤＦ変換装置７に出力する。
ステップ７
構造情報データに対応するページ記述言語データをページ記述言語データベースから抽出し、付加情報、加工指示と対応するこのページ記述言語を関連させながらＰＤＦデータに変換することで、この発明の処理は終了する。
【００２４】
【発明の効果】
以上説明したように本発明によれば、付加情報の付加、加工指示による加工がＰＤＦデータへの変換処理と同時に行われるので、後工程の処理を省略することができる。
そのため、手作業で処理する場合に比べて、大量に処理を行うことができ、コストを削減することができる。
【図面の簡単な説明】
【図１】本発明の一実施例として説明したブロック図である。
【図２】本発明の一実施例として説明したフローチャートである。
【符号の説明】
Ａ：付加情報付加装置
１：抽出手段
２：判断手段
３：確認手段
４：設定手段
５：追加手段
６：出力手段
【図１】
2004289357.tif 000003
【図２】
2004289357.tif 000004